(57)【要約】      （修正有）【課題】放送番組内で告知される情報を電子番組表から容易に把握できると共に、放送番組の視聴率アップに寄与する。【解決手段】電子番組情報を提供する特定のサーバ、もしくは電子番組情報を提供する特定の放送局から電子番組情報を取得する電子番組情報取得部（チューナー３３、制御部３２）と、電子番組情報取得部で取得した電子番組情報に含まれる情報、もしくは当該電子番組情報と共に送信されてきた情報から放送番組内で告知される情報を取得する告知情報取得部（ＤＥＭＵＸ部３４、制御部３２）と、電子番組情報を出力すると共に、告知情報取得部で取得した情報に基づいて当該告知情報の有無を示す情報を出力する告知情報出力部（制御部３２、映像音声出力部３６）と、を備える情報受信装置（放送受信装置３０）とする。【選択図】図３
2010206287.tif 000002
【特許請求の範囲】
【請求項１】
電子番組情報を提供する特定のサーバ、もしくは電子番組情報を提供する特定の放送局から上記電子番組情報を取得する電子番組情報取得部と、
上記電子番組情報取得部で取得した上記電子番組情報に含まれる情報、もしくは当該電子番組情報と共に送信されてきた情報から放送番組内で告知される情報を取得する告知情報取得部と、
上記電子番組情報を出力すると共に、上記告知情報取得部で取得した情報に基づいて当該告知情報の有無を示す情報を出力する告知情報出力部と、
を備えたことを特徴とする情報受信装置。
【請求項２】
請求項１に記載の情報受信装置であって、
前記告知情報出力部は、
前記電子番組情報を出力する際に、当該告知情報が含まれる放送番組欄の表示を告知情報が含まれない他の放送番組欄の表示と異なる表示とすることを特徴とする情報受信装置。
【請求項３】
請求項１または２に記載の情報受信装置であって、
前記告知情報は懸賞情報であり、
前記告知情報出力部は、
上記懸賞情報の応募締め切りが当該放送番組の放送時間内と設定されている場合には、当該懸賞情報が含まれる放送番組欄の表示を他の放送番組欄の表示と異なる表示とすることを特徴とする情報受信装置。
【請求項４】
請求項１から請求項３のいずれか１項に記載の情報受信装置であって、
前記告知情報は懸賞情報であり、
前記告知情報取得部は、
前記電子番組情報取得部で取得した前記電子番組情報に含まれる情報、もしくは当該電子番組情報と共に送信されてきた情報の中から上記懸賞情報の応募方法を示す情報を取得し、
前記告知情報出力部は、
上記電子番組情報を出力する際に、上記応募方法を示す情報について出力することを特徴とする情報受信装置。
【請求項５】
請求項１から請求項４のいずれか１項に記載の情報受信装置であって、
前記電子番組情報の取得を要求できる電子番組情報取得要求部を備え、
前記電子番組情報取得部は、上記電子番組情報取得要求部の要求により、前記電子番組情報を提供する特定の前記サーバ、もしくは特定の前記放送局から前記電子番組情報を取得することを特徴とする情報受信装置。
【請求項６】
請求項１から請求項５のいずれか１項に記載の情報受信装置であって、
前記電子番組情報に含まれる番組の告知情報の取得を要求できる告知情報取得要求部を備え、
前記告知情報取得部は、上記告知情報取得要求部の要求により、前記電子番組情報に含まれる番組の告知情報を提供する特定の前記サーバ、もしくは特定の前記放送局から前記電子番組情報に含まれる番組の告知情報を取得することを特徴とする情報受信装置。
【請求項７】
電子番組情報を提供する特定のサーバ、もしくは電子番組情報を提供する特定の放送局から上記電子番組情報を取得する電子番組情報取得ステップと、
上記電子番組情報取得ステップで取得した上記電子番組情報に含まれる情報、もしくは当該電子番組情報と共に送信されてきた情報から放送番組内で告知される情報を取得する告知情報取得ステップと、
上記電子番組情報を出力すると共に、上記告知情報取得ステップで取得した情報に基づいて当該告知情報の有無を示す情報を出力する告知情報出力ステップと、
を有することを特徴とする情報受信方法。
【請求項８】
コンピュータを、
電子番組情報を提供する特定のサーバ、もしくは電子番組情報を提供する特定の放送局から上記電子番組情報を取得する電子番組情報取得手段、
上記電子番組情報取得手段で取得した上記電子番組情報に含まれる情報、もしくは当該電子番組情報と共に送信されてきた情報から放送番組内で告知される情報を取得する告知情報取得手段、
上記電子番組情報を出力すると共に、上記告知情報取得手段で取得した情報に基づいて当該告知情報の有無を示す情報を出力する告知情報出力手段、
として機能させるための情報受信プログラム。
【請求項９】
請求項１から請求項６のいずれか１項に記載の情報受信装置に対して、前記電子番組情報および／または前記電子番組情報に含まれる番組内で告知される情報として懸賞情報を提供することを特徴とする放送配信装置。
【請求項１０】
電子番組情報および／または上記電子番組情報に含まれる番組内で告知される情報を提供する放送配信装置と、
上記放送配信装置から受信した情報に基づいて、上記電子番組情報を取得する電子番組情報取得部、
上記電子番組情報取得部で取得した上記電子番組情報に含まれる情報、もしくは当該電子番組情報と共に送信されてきた情報から放送番組内で告知される情報を取得する告知情報取得部、上記電子番組情報を出力すると共に、上記告知情報取得部で取得した情報に基づいて当該告知情報の有無を示す情報を出力する告知情報出力部、を少なくとも備えた情報受信装置と、
を備えたことを特徴とする情報配信システム。
【発明の詳細な説明】
【技術分野】
【０００１】
本発明は、情報受信装置、情報受信方法、情報受信プログラム、情報配信装置、並びに情報配信システムに関する。
【背景技術】
【０００２】
近年、地上デジタル放送やＢＳ（Ｂｒｏａｄｃａｓｔｉｎｇ  ｓａｔｅｌｌｉｔｅ）などのデジタル放送において、放送する番組内容を示す電子番組表（ＥＰＧ：Ｅｌｅｃｔｒｏｎｉｃ  Ｐｒｏｇｒａｍ  Ｇｕｉｄｅ、以下、単に「ＥＰＧ」という）が知られている。このＥＰＧ情報を活用することで、視聴者側の利便性を高めるべく、様々な提案がなされている。たとえば、このＥＰＧ情報を用いて、提供される番組連動型の放送データのみ予約印刷する、または番組の動画データとは独立して別々に予約印刷することが提案されている（特許文献１参照）。
【０００３】
また、このＥＰＧ情報を用いて、車載型のデジタル放送受信機で番組を視聴する際に、視聴者毎にグループ分けされた固有の電子番組表を表示させると共に、受信感度に応じた情報を当該固有の電子番組表に反映させることが提案されている（特許文献２参照）。
【０００４】
また、ＡＤＭＳ（ＴＶ−Ａｓａｈｉ  Ｄａｔａ  Ａｎｄ  Ｍｕｌｔｉｍｅｄｉａ  Ｓｅｒｖｉｃｅ）−ＥＰＧやｉＥＰＧなど、ＥＰＧ情報をインターネット経由で提供するものも知られており、インターネット経由で受信したＥＰＧ情報と放送波から受信したＥＰＧ情報とを受信した場合の制御についての提案もなされている（特許文献３参照）。
【先行技術文献】
【特許文献】
【０００５】
【特許文献１】特開２００７−２３５６３９号公報（要約、段落[００１３]等）
【特許文献２】特開２００７−８９２２０号公報（要約、段落[０００７]等）
【特許文献３】特開２００８−２５２４４７号公報（要約等）
【発明の概要】
【発明が解決しようとする課題】
【０００６】
しかしながら、特許文献１〜３に開示される技術では、視聴者は、たとえば放送が予定されている番組内で懸賞やプレゼントの告知がある場合に、その事実をＥＰＧ情報から知ることができない。また、視聴者は、番組内で懸賞の告知がある場合に、その懸賞の応募期間がたとえば番組放送中だけのリアルタイム性の高いものであるとか、応募締め切りがいつまでといった情報を知ることができない。また、番組を録画予約する際にも、録画予約をしようとする人は、当該予約をしようとしている番組についての懸賞の有無、更には懸賞がある場合の応募期間などの情報を知ることができない。したがって、録画した番組を後で視聴する際に、懸賞に応募したくても、懸賞の応募期間が経過しており、懸賞に応募できない場合もある。
【０００７】
そこで、本発明は、上述した課題に鑑み、放送番組内で告知される情報を電子番組表から容易に把握できると共に、放送番組の視聴率アップに寄与することができる情報受信装置、情報受信方法、情報受信プログラム、情報配信装置、並びに情報配信システムを提供することを目的とする。
【課題を解決するための手段】
【０００８】
本発明の一側面である情報受信装置は、電子番組情報を提供する特定のサーバ、もしくは電子番組情報を提供する特定の放送局から電子番組情報を取得する電子番組情報取得部と、電子番組情報取得部で取得した電子番組情報に含まれる情報、もしくは当該電子番組情報と共に送信されてきた情報から放送番組内で告知される情報を取得する告知情報取得部と、電子番組情報を出力すると共に、告知情報取得部で取得した情報に基づいて当該告知情報の有無を示す情報を出力する告知情報出力部と、を備えたものである。
【０００９】
また、本発明の一側面である情報受信装置は、上述した構成に加えて、告知情報出力部は、電子番組情報を出力する際に、当該告知情報が含まれる放送番組欄の表示を告知情報が含まれない他の放送番組欄の表示と異なる表示とすることが好ましい。
【００１０】
また、本発明の一側面である情報受信装置は、上述した構成に加えて、告知情報は懸賞情報であり、告知情報出力部は、懸賞情報の応募締め切りが当該放送番組の放送時間内と設定されている場合には、当該懸賞情報が含まれる放送番組欄の表示を他の放送番組欄の表示と異なる表示とすることが好ましい。
【００１１】
また、本発明の一側面である情報受信装置は、上述した構成に加えて、告知情報は懸賞情報であり、告知情報取得部は、電子番組情報取得部で取得した電子番組情報に含まれる情報、もしくは当該電子番組情報と共に送信されてきた情報の中から懸賞情報の応募方法を示す情報を取得し、告知情報出力部は、電子番組情報を出力する際に、応募方法を示す情報について出力することが好ましい。
【００１２】
また、本発明の一側面である情報受信装置は、上述した構成に加えて、電子番組情報の取得を要求できる電子番組情報取得要求部を備え、電子番組情報取得部は、電子番組情報取得要求部の要求により、電子番組情報を提供する特定のサーバ、もしくは特定の放送局から電子番組情報を取得することが好ましい。
【００１３】
また、本発明の一側面である情報受信装置は、上述した構成に加えて、電子番組情報に含まれる番組の告知情報の取得を要求できる告知情報取得要求部を備え、告知情報取得部は、告知情報取得要求部の要求により、電子番組情報に含まれる番組の告知情報を提供する特定のサーバ、もしくは特定の放送局から電子番組情報に含まれる番組の告知情報を取得することが好ましい。
【００１４】
また、本発明の一側面である情報受信方法は、電子番組情報を提供する特定のサーバ、もしくは電子番組情報を提供する特定の放送局から電子番組情報を取得する電子番組情報取得ステップと、電子番組情報取得ステップで取得した電子番組情報に含まれる情報、もしくは当該電子番組情報と共に送信されてきた情報から放送番組内で告知される情報を取得する告知情報取得ステップと、電子番組情報を出力すると共に、告知情報取得ステップで取得した情報に基づいて当該告知情報の有無を示す情報を出力する告知情報出力ステップと、を有するものである。
【００１５】
また、本発明の一側面である情報受信プログラムは、コンピュータを、電子番組情報を提供する特定のサーバ、もしくは電子番組情報を提供する特定の放送局から電子番組情報を取得する電子番組情報取得手段、電子番組情報取得手段で取得した電子番組情報に含まれる情報、もしくは当該電子番組情報と共に送信されてきた情報から放送番組内で告知される情報を取得する告知情報取得手段、電子番組情報を出力すると共に、告知情報取得手段で取得した情報に基づいて当該告知情報の有無を示す情報を出力する告知情報出力手段、として機能させるものである。
【００１６】
また、本発明の一側面である情報配信装置は、上述した情報受信装置に対して、電子番組情報および／または電子番組情報に含まれる番組内で告知される情報として懸賞情報を提供するものである。
【００１７】
また、本発明の一側面である情報配信システムは、電子番組情報および／または電子番組情報に含まれる番組内で告知される情報を提供する放送配信装置と、放送配信装置から受信した情報に基づいて、電子番組情報を取得する電子番組情報取得部、電子番組情報取得部で取得した電子番組情報に含まれる情報、もしくは当該電子番組情報と共に送信されてきた情報から放送番組内で告知される情報を取得する告知情報取得部、電子番組情報を出力すると共に、告知情報取得部で取得した情報に基づいて当該告知情報の有無を示す情報を出力する告知情報出力部、を少なくとも備えた情報受信装置と、を備えるものである。
【発明の効果】
【００１８】
本発明によれば、放送番組内で告知される情報を電子番組表から容易に把握できると共に、放送番組の視聴率アップに寄与することができる情報受信装置、情報受信方法、情報受信プログラム、情報配信装置、並びに情報配信システムを提供することができる。
【図面の簡単な説明】
【００１９】
【図１】本発明の第１実施形態に係る情報配信システムの全体構成を示す図である。
【図２】図１に示す放送局の有する放送送信装置の構成を示すブロック図である。
【図３】図１に示す放送受信装置の全体構成を示すブロック図である。
【図４】懸賞情報のデータ列の一例を示す図である。
【図５】図１に示す放送送信装置の放送配信処理のフローチャートである。
【図６】図１に示す放送受信装置の画面表示処理のフローチャートである。
【図７】図１に示す放送受信装置の懸賞情報表示処理のフローチャートである。
【図８】図１に示す放送受信装置の懸賞情報表示処理のフローチャートである。
【図９】図１に示す放送受信装置の応募情報表示処理のフローチャートである。
【図１０】図１に示す放送受信装置のユーザ設定処理のフローチャートである。
【図１１】図１０に示すユーザ設定処理を反映させた画面表示処理のフローチャートである。
【図１２】図３に示す表示装置で表示される懸賞情報表示画面例その１を示す図である。
【図１３】図３に示す表示装置で表示される懸賞情報表示画面例その２を示す図である。
【図１４】図３に示す表示装置で表示される懸賞情報表示画面例その３を示す図である。
【図１５】図２に示す放送送信装置の変形例を示す図である。
【図１６】図１５に示す放送送信装置の放送配信処理のフローチャートである。
【図１７】本発明の第２実施形態に係る情報配信システムの全体構成を示す図である。
【図１８】図１７に示す放送受信装置の全体構成を示すブロック図である。
【図１９】図１７に示す放送局サーバの全体構成を示すブロック図である。
【図２０】図１７に示す放送局サーバから送信されるＥＰＧ情報のデータ列の一例を示す図である。
【図２１】図１７に示す放送局サーバのＥＰＧ情報送信処理のフローチャートである。
【図２２】図１７に示す放送受信装置の懸賞情報表示処理のフローチャートである。
【図２３】本発明の第２実施形態の変形例である放送局サーバから配信されるデータ列の一例を示す図である。
【図２４】本発明の第２実施形態である放送局サーバから配信されるデータ列の一例を示す図である。
【図２５】図２１に示すＥＰＧ情報送信処理の変形例を示す図である。
【図２６】図２２に示す懸賞情報表示処理の変形例を示す図である。
【図２７】図２２に示す懸賞情報表示処理の変形例を示す図である。
【図２８】図１８に示す表示装置に表示される懸賞情報表示画面例その１を示す図である。
【図２９】図１８に示す表示装置に表示される懸賞情報表示画面例その２を示す図である。
【図３０】図１８に示す表示装置に表示される懸賞情報表示画面例その３を示す図である。
【図３１】図１８に示す表示装置に表示される懸賞情報表示画面例その４を示す図である。
【発明を実施するための形態】
【００２０】
以下、本発明の実施形態について図面を参照しながら説明する。なお、以下の順に沿って説明していく。
１．情報配信システム（実施例１）の全体構成
１−１．各部の説明
１−１−１．放送送信装置の構成
１−１−２．放送受信装置の構成
１−２．各装置の処理
１−２−１．放送送信装置の懸賞情報配信処理
１−２−２−１．放送受信装置のＥＰＧ情報表示処理
１−２−２−２．放送受信装置の懸賞情報表示処理その１
１−２−２−３．放送受信装置の懸賞情報表示処理その２
１−２−２−４．放送受信装置の応募情報表示処理
１−３．懸賞情報表示例
１−３−１．懸賞情報表示画面例その１
１−３−２．懸賞情報表示画面例その２
１−３−３．懸賞情報表示画面例その３
１−４．実施例１の変形例
１−４−１．放送送信装置の構成
１−４−２．放送送信装置の処理
２．情報配信システム（実施例２）の全体構成
２−１．各部の説明
２−１−１．放送受信装置の構成
２−１−２．放送局サーバの構成
２−２．各装置の処理
２−２−１．放送局サーバの懸賞情報配信処理
２−２−２．放送受信装置の懸賞情報表示処理
２−３．実施例２の変形例
２−３−１．放送局サーバの構成
２−３−２．放送受信装置の構成
２−３−３．放送局サーバの配信処理
２−３−４．放送受信装置の懸賞情報表示処理
３．他の実施形態
【実施例１】
【００２１】
１．情報配信システム１（実施例１）の全体構成
まず、本発明の第１実施形態に係る情報配信システム１について説明する。図１は、本発明の第１実施形態に係る情報配信システム１の全体構成を示す図である。図１に示すように、情報配信システム１は、放送局１０と、放送受信装置３０とを有している。なお、図１には、１つの放送局１０および２つの放送受信装置３０を図示したが、情報配信システム１には、複数の放送局１０および３以上の放送受信装置３０を有してもよい。
【００２２】
放送局１０は、放送スケジュールに沿って放送番組用のコンテンツをストリームデータとして送出する。また、放送局１０は、放送波にデータ放送、ＥＰＧ（Ｅｌｅｃｔｒｏｎｉｃ  Ｐｒｏｇｒａｍ  Ｇｕｉｄｅ）情報を重畳して送出することができる放送送信装置１１（図２参照）を有している。また、放送受信装置３０は、放送局１０の放送送信装置１１からの放送波を受信し、受信した放送番組の映像、音声出力やＥＰＧ情報の出力を行う。
【００２３】
１−１．各部の説明
１−１−１．放送送信装置の構成
図２は、図１に示す放送局１０が有する放送送信装置１１の構成を示すブロック図である。図２に示すように、放送送信装置１１は、制御部１２、コンテンツストリーム作成部１３、ＥＰＧ情報作成部１４、データ放送作成部１５、ＭＵＸ（ＭＵｌｔｉｐｌｅＸｅｒ）部１６、放送用コンテンツＤＢ１７、放送スケジュールＤＢ１８、データ放送用コンテンツＤＢ１９を主要な構成要素としている。なお、放送送信装置１１は、請求項の放送配信装置に対応している。
【００２４】
ここで、上述したコンテンツストリーム作成部１３、ＥＰＧ情報作成部１４、データ放送作成部１５、ＭＵＸ部１６の各機能が実現する情報処理は、放送送信装置１１全体を制御する制御部１２がハードウェア資源と協働して実行することにより実現される。具体的には、制御部１２は、不図示のハードウェア資源であるＣＰＵなどから構成され、ＣＰＵが不図示のＲＯＭに格納されている各種プログラムを不図示のＲＡＭに読み出して協働して実行することにより実現している。また、上述した放送用コンテンツＤＢ１７、放送スケジュールＤＢ１８、データ放送用コンテンツＤＢ１９は不図示の記憶部に記憶されており、記憶部は、たとえばＨＤＤ（Ｈａｒｄ  Ｄｉｓｃ  Ｄｒｉｖｅ）やフラッシュメモリなどから構成される。
【００２５】
コンテンツストリーム作成部１３は、放送用コンテンツＤＢ１７を参照して放送用コンテンツを作成する。なお、本実施例において、放送用コンテンツは、ＭＰＥＧ２−ＴＳ（Ｍｏｔｉｏｎ  Ｐｈｏｔｏｇｒａｐｈｉｃ  Ｃｏｄｅｉｎｇ  Ｅｘｐｅｒｔｓ  Ｇｒｏｕｐｅ−２  Ｔｒａｎｓｐｏｒｔ  Ｓｔｒｅａｍ）規格に準拠して符号化及び多重化されているものとして説明する。ＭＰＥＧ２−ＴＳ規格では、伝送されるコンテンツの映像及び音声等は、符号化されたＥＳ（Ｅｌｅｍｅｎｔａｒｙ  Ｓｔｒｅａｍ）として生成され、ＥＳを意味のある単位毎にパケット化されたＰＥＳ（Ｐａｃｋｅｔｉｚｅｄ  Ｅｌｅｍｅｎｔａｒｙ  Ｓｔｒｅａｍ）が生成される。更に、ＰＥＳを分割したＴＳ（Ｔｒａｎｓｐｏｒｔ  Ｓｔｒｅａｍ）パケットが、放送局１０から伝送される。
【００２６】
また、各ＴＳパケットのヘッダにＰＩＤと呼ばれる１３ビットのパケット識別子を付与することにより、各ＴＳパケットが、放送用コンテンツの映像データ、音声データ、制御データ等のいずれであるのか分類することができる。
【００２７】
また、ここでいう制御データとは、ＳＩ／ＰＳＩ（Ｓｅｒｖｉｃｅ  Ｉｎｆｏｒｍａｔｉｏｎ／Ｐｒｏｇｒａｍ  Ｓｐｅｃｉｆｉｃ  Ｉｎｆｏｒｍａｔｉｏｎ）と呼ばれるデータを指している。ＳＩ／ＰＳＩのＳＩは、ＥＰＧ情報を作成するために必要な情報等を含み、ＰＳＩは、基本的な制御をするための情報を含む制御データのことである。なお、ＴＳパケットには、放送局１０の意図に反する視聴を防止するための暗号化処理（以下、「スクランブル処理」という）が施されていてもよい。ここで、スクランブル処理の方式としてたとえば、Ｍｕｌｔｉ２を使用することができる。このＭｕｌｔｉ２は、デジタルデータを暗号化する方式の一つであり、ＢＳデジタル放送や地上デジタル放送などでも広く採用されている。なお、放送用コンテンツＤＢ１７には、上述した放送用コンテンツの元になるコンテンツデータが記憶されている。
【００２８】
ＥＰＧ情報作成部１４は、制御部１２の制御により、放送スケジュールＤＢ１８を参照してＥＰＧ情報を作成する機能を有する。放送スケジュールＤＢ１８には、放送局１０が放送する番組の放送スケジュール情報が記憶されている。また、放送スケジュールＤＢ１８に記憶されている番組には懸賞情報の有無等が含まれている。ＥＰＧ情報作成部１４は、放送スケジュールＤＢ１８に記憶されている番組には懸賞情報の有無等を含めてＥＰＧ情報を作成することもできる。なお、放送スケジュールＤＢ１８に、他の放送局１０が放送する番組の放送スケジュール情報および各番組の懸賞情報の有無等が記憶されていてもよい。
【００２９】
データ放送作成部１５は、データ放送用コンテンツＤＢ１９から例えば天気予報や番組に関連した情報等のデータ放送を作成する。なお、データ放送も、上述した放送用コンテンツと同様にＭＰＥＧ２−ＴＳ規格に準拠して符号化及び多重化されているものとして説明する。なお、データ放送用コンテンツＤＢ１９には、天気予報や番組に関連した情報等のデータ放送以外にも、その番組に関係する放送局１０が提供するＵＲＬ（Ｕｎｉｆｏｒｍ  Ｒｅｓｏｕｒｃｅ  Ｌｏｃａｔｏｒ）情報やＰ２Ｐ（Ｐｅｅｒ  ｔｏ  Ｐｅｅｒ）方式で利用できる検索クエリ情報が記憶されていてもよい。なお、データ放送作成部１５は、これらの情報をあわせてＭＵＸ部１６に供給する。
【００３０】
ＭＵＸ部１６は、コンテンツストリーム作成部１３が放送用コンテンツＤＢ１７を参照して作成した放送用コンテンツと、ＥＰＧ情報作成部１４が放送スケジュールＤＢ１８を参照して作成したＥＰＧ情報と、放送作成部２３がデータ放送用コンテンツＤＢ１９を参照して作成したデータ放送番組データとを多重化した放送データを生成する。そして、当該放送データは、放送局１０のアンテナから放送波として送出される。
【００３１】
１−１−２．放送受信装置の構成
【００３２】
続いて、放送受信装置３０について説明する。図３は、図１に示す放送受信装置３０のブロック構成を示す図である。放送受信装置３０は、たとえばＴＶ放送やラジオ放送を受信する端末であり、固定されている受信端末であるか、携帯できる移動体端末であるかを問わない。また、放送受信装置３０は、放送局１０から受信した情報を表示装置５０、音声再生装置６０へ出力する。なお、本実施形態に係る放送受信装置３０は、表示装置５０、音声再生装置６０とは別個の装置としている。しかし、これに限定するものではなく、放送受信装置３０、表示装置５０、音声再生装置６０が同じ筐体内に具備されるようなもの、例えばテレビセットとしても良い。また、放送受信装置３０と表示装置５０とが同一の筐体内に具備され、音声再生装置６０だけが別の筐体内に具備されるような構成であっても良い。つまり、これら３つの放送受信装置３０、表示装置５０、音声再生装置６０をどのような装置内に具備するのかについては特に限定するものではない。また、放送受信装置３０には録画機能、録音機能を有していてもよい。
【００３３】
図３に示すように、放送受信装置３０は、操作入力部３１、制御部３２、チューナー３３、ＤＥＭＵＸ（ＤＥＭＵｌｔｉｐｌｅＸｅｒ）部３４、デコード部３５、映像音声出力部３６、記録部３７を主要な構成要素としている。ここで、制御部３２は、たとえば不図示のハードウェア資源であるＣＰＵなどで構成されており、記録部３７やＲＯＭなどに格納されている各種プログラムをＲＡＭに読み出して、各種演算処理を協働して実行することで、放送受信装置３０の各部の機能が行う情報処理を実現することができる。
【００３４】
操作入力部３１は、たとえばリモコンやタッチパネルで構成されるが、音声入力等ができるように構成されてもよい。また、操作入力部３１は、ユーザからの操作入力を受け付けて、制御部３２へユーザの指示（たとえば、ＥＰＧ画面表示要求、懸賞情報表示要求、選局変更処理要求など）を伝える。ユーザは、この操作入力部３１を操作することで、放送受信装置３０への操作入力を行うことができる。なお、放送受信装置３０への操作入力は、赤外線などの無線信号（操作信号）を介して放送受信装置３０内に設けられた操作入力部３１に入力されるようにしてもよい。操作入力部３１に入力された操作信号は、不図示のバスを介して制御部３２に供給される。なお、操作入力部３１は、請求項の電子番組情報取得要求部および告知情報取得要求部に対応している。
【００３５】
制御部３２は、不図示のＣＰＵなどで構成され、操作入力部３１に入力された操作信号を解析し、放送受信装置３０を構成する各部若しくはその一部の動作を制御する中央演算処理装置である。例えば、ユーザが操作入力部３１を用いてチャンネルの選局指示を入力すると、この選局指示内容を示す信号が、操作入力部３１および不図示のバスを介して制御部３２に入力される。これにより制御部３２は、不図示のバスを介してチューナー３３に対して、ユーザが選局したチャンネルへの選局指示を送信する。なお、制御部３２は、請求項の電子番組情報取得部、告知情報取得部、告知情報出力部の一部に対応している。
【００３６】
チューナー３３は、放送局１０の放送波をアンテナで受信し、受信したＲＦ（Ｒａｄｉｏ  Ｆｒｅｑｕｅｎｃｙ）信号を復調し、誤り訂正等を行い、ＴＳパケットからなるＴＳ信号をＤＥＭＵＸ部３４へ出力する。なお、チューナー３３は、請求項の電子番組情報取得部の一部、告知情報取得部の一部に対応している。
【００３７】
チューナー３３は、図３において地上デジタル放送を受信するために１つのみ図示したが、アナログ放送も受信する場合にはアナログ放送用のチューナー３３を備えていてもよく、２つのチューナー３３を備えるようにしてもよい。なお、放送受信装置３０は、ＴＳ信号がスクランブル処理を施されて伝送されてきた場合には、通常の信号へと解除する処理を行うデスクランブラ部を備えていてもよい。その場合には、当該デスクランブラ部は、スクランブル処理が解除されたＴＳパケットからなるＴＳ信号を、ＤＥＭＵＸ部３４に供給するようにしてもよい。
【００３８】
ＤＥＭＵＸ部３４は、チューナー３３から出力されたＴＳパケットからなるＴＳ信号（つまり、送信側の放送送信装置１１のＭＵＸ部１６で映像や音声などの複数のストリームを多重化した放送データ）を、映像や音声などのストリームデータと、ＳＩ／ＰＳＩなどのセクション形式のデータとに分離する処理を行う。ＤＥＭＵＸ部３４によって分離された各データは、制御部３２の指示にしたがい、デコード部３５に供給される。なお、ＤＥＭＵＸ部３４は、請求項の電子番組情報取得部の一部、告知情報取得部の一部に対応している。
【００３９】
デコード部３５は、制御部３２の指示にしたがい、放送データに含まれる放送用コンテンツやＥＰＧ情報、データ放送などをデコードする。また、デコード部３５は、デコードしたこれらのデータを記録部３７に供給する。なお、デコード部３５が記録部３７に供給するデータは、映像信号、音声信号としてデコードせずに、データ信号としてそのまま供給するようにしてもよい。
【００４０】
また、デコード部３５は、上述した放送データに含まれる放送用コンテンツやＥＰＧ情報、データ放送などに対してデコードを行って、それぞれオーディオデータ、ビデオデータ、番組データを生成する。デコードされたオーディオデータは、上述の音声再生装置６０に供給する。そして、音声再生装置６０は、供給されたオーディオデータに対してＤ／Ａ変換処理を行い、音声信号として出力する。また、デコード部３５は、デコードされたビデオデータおよび番組データを、映像音声出力部３６へ供給する。なお、デコード部３５は、請求項の告知情報出力部の一部に対応している。
【００４１】
映像音声出力部３６は、供給された番組データを不図示のＲＡＭに格納する。映像音声出力部３６は、番組データを描画することでＥＰＧ情報を生成する。そして、映像音声出力部３６は、デコード部３５からのビデオデータに基づいた画面上に、ＥＰＧ情報に基づいた画面を合成した合成画面を生成し、表示装置５０に送出する。表示装置５０は、この合成画面を表示する。なお、映像音声出力部３６は、請求項の告知情報出力部の一部に対応している。記録部３７は、制御部３２からの記録指示によりデコード部３５でデコードしたデータを記憶する。
【００４２】
１−２．各装置の処理
１−２−１．放送送信装置の懸賞情報配信処理
図４は、懸賞情報のデータ列の一例を示す図である。図４に示すように、懸賞情報のデータ列には、「放送種別」、「放送局名」、「放送開始日時」、「放送終了日時」、「番組名」、「プレゼントジャンル」、「プレゼント商品名」、「プレゼント画像」、「リアルタイムか否か」、「応募方法」、「懸賞申し込み開始日時」、「懸賞申し込み終了日時」などのフィールドが含まれている。「放送種別」のフィールドには、地上デジタル放送やＢＳデジタル放送、ＣＳ放送、ＦＭラジオ放送、ＡＭラジオ放送等の放送種別が記載される。「放送局名」のフィールドには、放送局名が記載される。「番組名」のフィールドには、当該番組のフィールド名が記載される。「放送開始日時」、「放送終了日時」のフィールドには、当該番組の開始時刻、終了時刻がそれぞれ記載される。「リアルタイム情報」のフィールドには、番組放送中にリアルタイム（あるいは番組放送日）に応募が締切となる懸賞かどうかの情報が記載される。「プレゼントジャンル」のフィールドには、当該プレゼントのジャンル情報が記載される。「プレゼント名」のフィールドには、当該プレゼント名が記載される。「応募方法」のフィールドには、懸賞の応募方法の種別（例えば郵送、電話、インターネット等）が記載される。「懸賞申し込み開始日時」、「懸賞申し込み終了日時」のフィールドには、それぞれ懸賞の申込開始日時、締切日時が記載される。なお、郵送の場合は、消印が有効な日が記載されてもよい。「応募方法」のフィールド以降については、複数の応募方法がある場合はそれぞれの応募方法について順次繰り返し形式でフィールドが追加されるようにしてもよい。
【００４３】
上述した懸賞情報をＥＰＧ情報に追加する場合には、例えばＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔ）で規定される地上デジタル放送や、ＢＳデジタル放送のＳＩ情報中にあるＥＰＧ情報のＴＹＰＥ−Ｈを表示するための、番組表形式のデータ部分又は及び個別の番組の説明のためのデータ部分に入れることが好ましい。また、他の放送や他のＥＰＧ表示形式の場合（ワンセグ放送）の場合には、番組名や番組説明のためのテキスト情報のデータ中に懸賞情報を入れることが好ましい。また、懸賞情報は、放送受信装置３０側でテキスト検索できるよう、所定のキーワード“懸賞”、“プレゼント”といった文字列を含むようにすることが好ましい。また、応募条件を記述する場合には、“応募条件”という文字列のあとに所定の条件内容を記載することが好ましい。応募の開始、終了期間についても、同様の形式で表現を行うことが好ましい。
【００４４】
図５は、図１に示す放送送信装置１１の放送配信処理のフローチャートである。
【００４５】
ＳＴＡＲＴ：制御部１２は、電源がＯＮになる、または当該配信モードが選択されると放送配信処理を開始する。制御部１２は、放送配信処理を開始すると、ステップＳ１０１の処理へ移行する。
【００４６】
ステップＳ１０１：制御部１２は、放送スケジュールＤＢ１８を参照して、送信する期間内（たとえば、１週間など）の番組の中から１つの番組を抽出し、当該番組が懸賞のある番組か否か判定する。たとえば、抽出した番組が地上ＴＶ、東京ＢＣの１／１  １７：００〜１９：００「日本７不思議発掘！」である場合には、当該番組が懸賞のある番組か否かを判定する。具体的には、図４に示す懸賞情報のデータ列に当該番組があるか否かを判定する。制御部１２は、放送スケジュールＤＢ１８を参照して抽出された番組が懸賞のある番組である場合（ステップＳ１０１でＹＥＳ）にはステップＳ１０２の処理へ移行し、懸賞のある番組でない場合（ステップＳ１０１でＮＯ）にはステップＳ１０３の処理へ移行する。
【００４７】
ステップＳ１０２：制御部１２は、懸賞情報を含んだＥＰＧ情報を生成する。懸賞情報が、例えば図４のデータ列である場合には、プレゼントジャンルやプレゼント商品名、プレゼント画像、リアルタイムか否か、応募方法、懸賞期間といった各項目の情報を追加したＥＰＧ情報を生成する。制御部１２は、ステップＳ１０２の処理が完了すると、ステップＳ１０４の処理へ移行する。
【００４８】
ステップＳ１０３：制御部１２は、ＥＰＧ情報を生成する。制御部１２は、ステップＳ１０３の処理が完了すると、ステップＳ１０４の処理へ移行する。
【００４９】
ステップＳ１０４：制御部１２は、送信する期間内の全ての番組について懸賞情報の有無をチェックしたか否かを判定する。制御部１２は、送信する期間内の全ての番組について懸賞の有無をチェックした場合（ステップＳ１０４でＹＥＳ）は、ステップＳ１０５の処理へ移行し、チェックしていない場合（ステップＳ１０４でＮＯ）は、ステップＳ１０１の処理へ戻る。
【００５０】
ステップＳ１０５：制御部１２は、放送コンテンツ、データ放送、ＥＰＧ情報を多重化する。制御部１２は、ステップＳ１０５の処理が完了すると、ステップＳ１０６の処理へ移行する。
【００５１】
ステップＳ１０６：制御部１２は、ステップＳ１０５で多重化した放送データを配信して放送配信処理を終了する（ＥＮＤ）。
【００５２】
このような配信処理とすることで、懸賞情報の有無がＥＰＧ情報に含まれて配信されるため、視聴者が放送番組内で告知される情報を容易に知ることができる。また、当該告知情報が放送番組の視聴するための動機付けとなり、当該放送番組の視聴率アップに寄与することができる。
【００５３】
１−２−２−１．放送受信装置のＥＰＧ情報表示処理
図６は、図１に示す放送受信装置３０のＥＰＧ情報表示処理のフローチャートである。
【００５４】
ＳＴＡＲＴ：制御部３２は、電源がＯＮになる、または当該表示モードが選択されると画面表示処理を開始する。制御部３２は、画面表示処理を開始すると、ステップＳ２０１の処理へ移行する。
【００５５】
ステップＳ２０１：制御部３２は、ＥＰＧ画面表示要求の有無を判定する。制御部３２は、ＥＰＧ画面の表示要求がある場合（ステップＳ２０１でＹＥＳ）には、ステップＳ２０２の処理へ移行し、表示要求がない場合には、ステップＳ２０１の判定処理を繰り返す。なお、ステップＳ２０１でＥＰＧ画面の表示要求がある場合に画面表示処理を開始するようにしてもよい。
【００５６】
ステップＳ２０２：制御部３２は、ＥＰＧ画面の表示処理を行って処理を終了する（ＥＮＤ）。
【００５７】
続いて、図６に示した通常のＥＰＧ情報表示処理に加えて、懸賞情報の有無を判定して懸賞情報を強調して表示する処理について説明する。図７は、図１に示す放送受信装置３０の懸賞情報表示処理のフローチャートである。
【００５８】
ＳＴＡＲＴ：制御部３２は、電源がＯＮになる、または当該表示モードが選択されると懸賞情報表示処理を開始する。制御部３２は、懸賞情報表示処理を開始すると、ステップＳ３０１の処理へ移行する。
【００５９】
ステップＳ３０１：制御部３２は、ＥＰＧ画面の表示要求の有無を判定する。制御部３２は、ＥＰＧ画面の表示要求がある場合（ステップＳ３０１でＹＥＳ）には、ステップＳ３０２の処理へ移行し、ＥＰＧ画面の表示要求がない場合（ステップＳ３０１でＮＯ）には、ステップＳ３０１の判定処理を繰り返す。なお、ステップＳ３０１でＥＰＧ画面の表示要求がある場合に懸賞情報表示処理を開始するようにしてもよい。
【００６０】
ステップＳ３０２：制御部３２は、表示要求されている番組に懸賞情報があるか否かを判定する。具体的には、制御部３２は、ＥＰＧ情報に表示される画面（表示要求された放送種別、放送局、時間帯）の中に懸賞番組があるか否かを検出する。制御部３２は、表示要求されている番組に懸賞情報がある場合（ステップＳ３０２でＹＥＳ）には、ステップＳ３０３の処理へ移行し、懸賞情報がない場合（ステップＳ３０２でＮＯ）にはステップＳ３０４の処理へ移行する。
【００６１】
ステップＳ３０３：制御部３２は、懸賞のある番組を強調表示したＥＰＧ情報画面を表示する。具体的には、制御部３２は、アイコンで懸賞番組があることを示したり、ＥＰＧ情報上の当該番組の背景色を変更したりする。制御部３２は、ステップＳ３０３の処理が完了すると、ステップＳ３０５の処理へ移行する。
【００６２】
ステップＳ３０４：制御部３２は、通常のＥＰＧ情報画面を表示する。制御部３２は、ステップＳ３０４の処理が完了すると、ステップＳ３０５の処理へ移行する。
【００６３】
ステップＳ３０５：制御部３２は、表示番組の変更要求の有無を判定する。具体的には、制御部３２は、表示している時間帯の変更、日付の変更、放送局１０の変更、番組の変更等の有無を判定する。制御部３２は、表示番組の変更要求がある場合（ステップＳ３０５でＹＥＳ）には、ステップＳ３０２の処理へ移行し、表示番組の変更要求がない場合（ステップＳ３０５でＮＯ）には、ステップＳ３０５の判定処理を繰り返す。
【００６４】
このような表示処理とすることで、ＥＰＧ情報表示画面内に懸賞情報がある番組が強調表示されるため、視聴者は一目で懸賞情報の有無を把握することができる。したがって、放送番組内で告知される情報を容易に知ることができる。また、放送番組の視聴するための動機付けとなり、当該放送番組の視聴率アップに寄与することができる。
【００６５】
１−２−２−２．放送受信装置の懸賞情報表示処理その１
図８は、図１に示す放送受信装置３０の懸賞情報表示処理のフローチャートである。この図８に示す懸賞情報表示処理は、リアルタイム性の高い懸賞情報があるか否かの判断を行っている点が図７の懸賞情報表示処理と異なる。なお、図７の懸賞情報表示処理と同一の処理（図８のＳＴＡＲＴ、ステップＳ３０１、Ｓ３０２、Ｓ３０３、Ｓ３０４、Ｓ３０５の処理）については、同一のステップ番号を付し、説明を省略する。
【００６６】
ステップＳ３１１：制御部３２は、ステップＳ３０２において表示要求のある番組に懸賞情報があると判定されたときは、当該番組の懸賞情報の応募期間がたとえば放送時間内に限られるなどのリアルタイム性の高いものであるか否かを判定する。リアルタイムの応募の懸賞番組とは具体的には、電話やインターネット、ファックス等でリアルタイムに応募する番組を指す。例えば、クイズ番組に回答する形のものやアンケート形式のもの、リクエスト形式のものがあげられる。リアルタイムの懸賞番組は、録画あるいは録音して後から楽しむ場合にはプレゼントに応募できなくなってしまう番組である。なお、当日又は翌日消印有効の郵便による応募の番組やリアルタイムではないが、２４時間以内に応募締切となる番組もリアルタイムの懸賞番組とみなしてもよい。制御部３２は、当該番組で告知される懸賞がリアルタイム性の高いものであると判定した場合（ステップＳ３１１でＹＥＳ）には、ステップＳ３１２の処理へ移行し、リアルタイム性の高いものではないと判定した場合（ステップＳ３１１でＮＯ）には、ステップＳ３０３の処理へ移行する。
【００６７】
ステップＳ３１２：制御部３２は、ステップＳ３１１でリアルタイム性の高い懸賞である番組を表示する枠を強調表示したＥＰＧ画面を表示させる。制御部３２は、ステップＳ３１２の処理が完了すると、ステップＳ３０５の処理へ移行する。なお、リアルタイム性の高い懸賞である番組欄の強調表示と、リアルタイム性が高くはないが懸賞がある番組の枠の強調表示とは異なるような表示設定（背景色、アイコンの形状等）とすることが好ましい。
【００６８】
このような表示処理とすることで、ＥＰＧ画面内に懸賞情報がある番組が強調表示されるため、視聴者は一目で懸賞情報の有無を把握することができる。したがって、放送番組内で告知される情報を容易に知ることができる。また、特にリアルタイム性の高い懸賞情報に着目させることで、当該懸賞情報のある放送番組を視聴させることに繋がるため、視聴率アップに寄与することができる。
【００６９】
１−２−２−３．放送受信装置の懸賞情報表示処理その２
【００７０】
続いて、放送受信装置３０の懸賞情報表示処理その２について説明する。この懸賞情報表示処理では、ユーザが予め設定したユーザ設定情報に基づいて表示処理を行うものである。したがって、はじめにユーザ設定処理について説明する。図９は、図１に示す放送受信装置３０のユーザ設定処理のフローチャートである。
【００７１】
ＳＡＴＲＴ：制御部３２は、当該設定モードが選択されるとユーザ設定処理を開始する。制御部３２は、ユーザ設定処理を開始すると、ステップＳ３３１の処理へ移行する。
【００７２】
ステップＳ３３１：制御部３２は、懸賞情報の表示設定要求の有無を判定する。制御部３２は、懸賞情報の表示設定の要求がある場合（ステップＳ３３１でＹＥＳ）には、ステップＳ３３２の処理へ移行し、要求がない場合（ステップＳ３３１でＮＯ）には、ユーザ設定処理を終了する（ＥＮＤ）。なお、表示要求の有無は、操作入力部３１からの表示設定要求信号の有無により判定することができる。
【００７３】
ステップＳ３３２：制御部３２は、ステップＳ３３１の要求通りの表示方法を設定する。具体的には、制御部３２は、懸賞情報がある場合の強調表示（背景色、アイコン等）の要否や応募方法の強調表示、リアルタイム性の高い懸賞についての表現方法等の各種設定を行う。制御部３２は、ステップＳ３３２の処理が完了すると、ステップＳ３３３の処理へ移行する。
【００７４】
ステップＳ３３３：制御部３２は、ステップＳ３３２の表示方法を記憶して、ユーザ設定処理を終了する（ＥＮＤ）。
【００７５】
このようなユーザ設定処理とすることで、ＥＰＧ画面内に懸賞情報がある番組の表示方法をユーザの所望する表示方法に設定することができ、利用者に即した操作性や視認性を確保することができる。また、利用者が異なる場合には、それぞれの設定環境を記憶することもできる。
【００７６】
続いて、このユーザ設定情報に基づく懸賞情報表示処理について説明する。図１０は、図９に示すユーザ設定処理を反映させた懸賞情報表示処理のフローチャートである。なお、図７の懸賞情報表示処理と同一の処理（図１０のＳＴＡＲＴ、ステップＳ３０１、Ｓ３０２、Ｓ３０３、Ｓ３０４、Ｓ３０５の処理）については、同一のステップ番号を付し、説明を省略する。
【００７７】
ステップＳ３４１：制御部３２は、ステップＳ３０２において、表示要求のある番組に懸賞情報がある場合には、懸賞情報の表示設定情報の有無を判定する。制御部３２は、懸賞情報の表示設定情報がある場合（ステップＳ３４１でＹＥＳ）には、ステップＳ３４２の処理へ移行し、懸賞情報の表示設定情報がない場合（ステップＳ３４１でＮＯ）には、ステップＳ３０４の処理へ移行する。なお、懸賞情報の表示設定情報の有無は、たとえば図９で説明したユーザ設定処理において記憶した懸賞情報の表示設定ファイルの有無を確認することなどで判定することができる。
【００７８】
ステップＳ３４２：制御部３２は、設定された内容を反映した懸賞情報を含むＥＰＧ画面を表示させて、懸賞情報表示処理を終了する（ＥＮＤ）。
【００７９】
このような表示処理とすることで、利用者が操作入力部３１などで予め設定した表示方法に即して表示されるため、利用者に即した操作性や視認性が確保される。
【００８０】
１−２−２−４．放送受信装置の応募情報表示処理
続いて、図１に示す放送受信装置３０で懸賞の応募情報を表示する際の処理について説明する。図１１は、図１に示す放送受信装置３０の応募情報表示処理のフローチャートである。この図１１に示す応募情報表示処理は、懸賞番組の応募方法に関する情報の有無についての判別を行っている点が図７の懸賞情報表示処理と異なる。なお、図７の懸賞情報表示処理と同一の処理（図１１のＳＴＡＲＴ、ステップＳ３０１、Ｓ３０２、Ｓ３０３、Ｓ３０４、Ｓ３０５の処理）については、同一のステップ番号を付し、説明を省略する。
【００８１】
ステップＳ３２１：制御部３２は、ステップＳ３０２において、表示要求のある番組に懸賞情報がある場合には、懸賞情報に応募方法の情報があるか否かを判定する。具体的には、制御部３２は、電話での応募、ホームページへのアクセス、ファックス、郵便等の情報の有無を判定する。制御部３２は、懸賞情報に応募方法の情報がある場合（ステップＳ３２１でＹＥＳ）には、ステップＳ３２２の処理へ移行し、懸賞情報に応募方法の情報がない場合（ステップＳ３２１でＮＯ）には、ステップＳ３０３の処理へ移行する。なお、送信されてきた懸賞情報に応募方法の情報があるか否かは、送信データ内にフラグ判別できるようなデータ列を追加する、または懸賞情報として送信されてきたデータ内の応募方法フィールドを参照することにより応募方法の情報の有無を判定することができる。
【００８２】
ステップＳ３２２：制御部３２は、応募情報を追加し、懸賞のある番組を強調表示したＥＰＧ画面を表示させる。具体的には、制御部３２は、応募方法ごとに番組の背景色を変えることや所定のアイコンを表示するといった制御を行う。制御部３２は、ステップＳ３２２の処理が完了するとステップＳ３０５の処理へ移行する。
【００８３】
このような表示処理とすることで、番組内で告知される応募情報に加えて、当該懸賞の応募期限などのより詳細な応募情報を表示画面から知ることができる。
【００８４】
１−３．懸賞情報表示例
１−３−１．懸賞情報表示画面例その１
図１２は、図３に示す表示装置５０で表示される懸賞情報表示画面例を示す図である。図１２に示すこの画面例は、たとえば上述した図７のステップＳ３０３で表示される画面であり、新聞のラテ欄形式で表示したＥＰＧ画面である。当該ＥＰＧ画面の左端には、現在受信中の放送種別（図１２中では「地デジ」）が強調表示され、他の放送種別（図１２中では、「ＢＳ」、「ＣＳ」、「ＦＭ」、「ＡＭ」）はグレーアウトされている。また、番組表の右上には、現在日時が表示される。本実施例では、４つの放送局１０の番組表が表示されている。この番組表において、放送局１０の１つである「東京ＢＣ」、１７時〜１９時の番組「日本７不思議発掘！」に、懸賞情報があるため強調表示されている。なお、強調表示は行わず、懸賞情報を番組表に表示するのみでもよい。
【００８５】
１−３−２．懸賞情報表示画面例その２
図１３は、図３に示す表示装置５０で表示される懸賞情報表示画面例を示す図である。この図１３で示される画面は、図１２の番組表で「日本７不思議発掘！」が選択された例（方向キーで番組表内の選択番組を移動させ、決定キーを押す）であり、図１３では、「日本７不思議発掘！」の詳細な番組情報が表示されている。方向キーの下を押して画面をスクロールさせて送ることにより画面に表示しきれない情報が表示される。図１３では、応募方法等も表示される。また、図１３では録画ボタン、選局ボタン、視聴予約ボタン、プレゼントボタンが表示される。録画ボタンを押すとこの番組の録画（録画予約）を行う。選局ボタンを押すとこの放送局１０にチャンネルを切り替えて表示される。続いて視聴予約ボタンを押すと、この番組の開始時にチャンネルを切り替える制御を行う。プレゼントボタンを押すと、懸賞情報を抽出し、当該懸賞情報を表示する。
【００８６】
１−３−３．懸賞情報表示画面例その３
図１４は、図３に示す表示装置５０で表示される懸賞情報表示画面例を示す図である。図１４では、プレゼントボタンが押された場合の懸賞情報を表示している。なお、プレゼント画像データは、懸賞データ列内に画像データを含めて送信することによりプレゼント画像のデータを表示することができる。
【００８７】
以上に説明したことから、本発明の第１実施形態に係る情報配信システム１は、懸賞情報を含めて放送するため、懸賞がある番組を容易に把握することができる。これにより放送局１０側のメリットとして、懸賞を目的とした新たな視聴者を獲得し、視聴機会を増加させることができる。また、ユーザ側のメリットとして、ＥＰＧ情報から簡単に懸賞を行っている番組を把握することができるので、プレゼントを提供している番組を容易に探し出して、視聴することができる。また、そのような番組でどのようなプレゼントがなされるのかを簡単に把握することができる。また、リアルタイムの懸賞番組かどうかを把握することにより、その場で視聴するのか録画してから視聴するのかを選択することができる。
【００８８】
１−４．実施例１の変形例
１−４−１．放送送信装置の構成
続いて、上述した実施例１の変形例である放送送信装置１１Ａについて説明する。図１５は、図２に示す放送送信装置１１の変形例である放送送信装置１１Ａを示す図である。この放送送信装置１１Ａでは、実施例１の放送送信装置１１と異なり、ＥＰＧ情報に懸賞情報を含めて送信するものではなく、ＥＰＧ情報とは別に懸賞情報を生成して送出するものである。すなわち、懸賞情報作成部１９が、放送スケジュールＤＢ１８を参照して懸賞情報を生成して、生成した懸賞情報と共にＭＵＸ部１６Ａで多重化して送出されるものである。以下では放送送信装置１１Ａについて主に説明するが、ＥＰＧ情報とは別に懸賞情報を受信する放送受信装置側の処理については、後述する第２実施例の変形例における放送受信装置の処理と同一であるため、ここでの説明は省略する。また、この実施例１の変形例における放送受信装置から表示装置５０に表示される画面は、図１２〜図１４と同一の表示であるため、図示および説明を省略する。
【００８９】
１−４−２．放送送信装置の処理
図１６は、図１５に示す放送送信装置１１Ａの放送配信処理のフローチャートである。なお、放送スケジュールＤＢ１８に格納されている番組情報には、当該番組内で告知される懸賞情報が関連付けられて記憶されているものとする。
【００９０】
ＳＴＡＲＴ：制御部１２Ａは、電源がＯＮになる、または当該配信モードが選択されると放送配信処理を開始する。制御部１２Ａは、放送配信処理を開始すると、ステップＳ１１１の処理へ移行する。
【００９１】
ステップＳ１１１：制御部１２Ａは、放送スケジュールＤＢ１８を参照して、番組情報に懸賞情報が含まれているか否かを判定する。制御部１２Ａは、番組情報に懸賞情報が含まれている場合（ステップＳ１１１でＹＥＳ）には、ステップＳ１１２の処理へ移行し、番組情報に懸賞情報が含まれていない場合（ステップＳ１１１でＮＯ）には、ステップＳ１１３の処理へ移行する。
【００９２】
ステップＳ１１２：制御部１２Ａは、懸賞情報を生成する。制御部１２Ａは、ステップＳ１１２の処理が完了すると、ステップＳ１１５の処理へ移行する。
【００９３】
ステップＳ１１３：制御部１２Ａは、放送コンテンツ、データ放送、ＥＰＧ情報を多重化する。制御部１２Ａは、ステップＳ１１３の処理が完了すると、ステップＳ１１６の処理へ移行する。
【００９４】
ステップＳ１１４：制御部１２Ａは、送信する期間内の全ての番組について懸賞情報の有無をチェックしたか否かを判定する。制御部１２は、送信する期間内の全ての番組について懸賞の有無をチェックした場合（ステップＳ１１４でＹＥＳ）は、ステップＳ１１５の処理へ移行し、チェックしていない場合（ステップＳ１１４でＮＯ）は、ステップＳ１１１の処理へ戻る。
【００９５】
ステップＳ１１５：制御部１２Ａは、放送コンテンツ、データ放送、ＥＰＧ情報、懸賞情報を多重化する。なお、懸賞情報とＥＰＧ情報は、お互いの情報に含まれる「放送開始日時」、「放送終了日時」、「番組名」などと照合することにより、特定することができる。制御部１２Ａは、ステップＳ１１５の処理が完了すると、ステップＳ１１６の処理へ移行する。
【００９６】
ステップＳ１１６：制御部１２Ａは、ステップＳ１１３またはステップＳ１１５で多重化した放送データを送出して放送配信処理を終了する（ＥＮＤ）。
【００９７】
このような配信処理とすることにより、上述した第１実施例の放送送信装置１１の有する効果に加えて、ＥＰＧ情報の生成段階において番組内での懸賞の有無が確定していない場合や、ＥＰＧ情報作成後に懸賞情報を追加したい場合であっても放送データに多重化して放送受信装置３０Ａへ配信を行うことができる。また、上記以外の理由でＥＰＧ情報に懸賞情報を含めることができない場合であっても、放送データに多重化して放送受信装置３０Ａへ配信することができる。
【実施例２】
【００９８】
２．情報配信システム１Ａ（実施例２）の全体構成
図１７は、本発明の第２実施形態に係る情報配信システム１Ａの全体構成を示す図である。図１７に示す情報配信システム１Ａは、第１実施形態に係る情報配信システム１と異なり、放送局１０と、放送局サーバ７０と、放送受信装置３０ＡとがＩＰ通信網１００を介して通信可能となっている。放送局１０は、放送波により放送番組やデータ放送、ＥＰＧ情報を送出する。放送局サーバ７０は、ＩＰ通信網１００経由でＥＰＧ情報などを送信する。放送局サーバ７０は、放送局１０が有していてもよいし、別個に独立して存在してもよい。放送局サーバ７０は、独自のインターネット独自の番組や静止画、音声、動画といったコンテンツデータを送信するようにしてもよい。また、放送局サーバ７０は、放送局の番組と連動した独自の番組や静止画、音声、動画といったコンテンツデータを送信するようにしてもよい。受信装置３０は、放送局からの放送波を受信し、受信した番組の表示、音声出力やＥＰＧ情報の出力を行う。放送受信装置３０はたとえば、ＴＶ放送やラジオ放送の受信機である。放送受信装置３０には録画、録音機能を有していてもよい。また、放送局サーバ７０からのコンテンツを受信し、表示や音声出力、データの出力等を可能としている。なお、図１７には、１つの放送局サーバ７０および２つの放送受信装置３０Ａを図示したが、情報配信システム１Ａには、複数の放送局サーバ７０および３以上の放送受信装置３０Ａを有してもよい。
【００９９】
２−１．各部の説明
２−１−１．放送受信装置の構成
図１８は、図１７に示す放送受信装置３０Ａの全体構成を示すブロック図である。図１８に示すように、放送受信装置３０Ａは、操作入力部３１、制御部３２、チューナー３３、ＤＥＭＵＸ部３４、デコード部３５、映像音声出力部３６、記録部３７、ネットワーク接続部３８、ネットワーク情報デコード部３９、ユーザ情報記憶部４０を主要な構成要素としている。ここで、制御部３２は、たとえば不図示のハードウェア資源であるＣＰＵなどで構成されており、記録部やＲＯＭなどに格納されている各種プログラムをＲＡＭに読み出して、各種演算処理を協働して実行することで、放送受信装置３０Ａの各部の機能が行う情報処理を実現することができる。なお、第１実施例の放送受信装置３０Ａと同一の機能（操作入力部３１、制御部３２、チューナー３３、ＤＥＭＵＸ部３４、デコード部３５、映像音声出力部３６、記録部３７）については同一の符号を付して説明を省略する。
【０１００】
ネットワーク接続部３８は、ＩＰ通信網１００を介して放送局サーバ７０と通信を行う通信インターフェースである。ネットワーク接続部３８は、放送局サーバ７０のネットワーク接続部８１（図１９参照）からのデータを受信し、ネットワーク情報デコード部３９に当該データを送る。なお、ネットワーク接続部３８は、請求項の電子番組情報取得部の一部、告知情報取得部の一部に対応している。
【０１０１】
ネットワーク情報デコード部３９は、ネットワーク接続部３８から受信したデータを制御部３２の指示にしたがってデコードし、記録部３７に供給する。なお、記録部３７に供給されたデータは、映像音声出力部３６へ供給され、その後、表示装置５０および／または音声再生装置６０に出力される。ユーザ情報記憶部４０は、情報配信システム１Ａを利用するユーザ情報が格納されている。なお、ネットワーク情報デコード部３９は、請求項の告知情報出力部の一部に対応している。
【０１０２】
２−１−２．放送局サーバの構成
図１９は、図１７に示す放送局サーバ７０の全体構成を示すブロック図である。図１９に示すように放送局サーバ７０は、制御部７１、コンテンツストリーム作成部７２、配信要求受付部７３、ユーザ情報管理部７４、コンテンツデータ配信部７５、ＥＰＧ情報作成部７６、サーバ放送用ＥＰＧ情報作成部７７、コンテンツＤＢ７８、放送スケジュールＤＢ７９、懸賞商品情報ＤＢ８０、ネットワーク接続部８１とを主要な構成要素としている。なお、放送局サーバ７０は、請求項の情報配信装置に対応している。
【０１０３】
ここで、上述したコンテンツストリーム作成部７２、配信要求受付部７３、ユーザ情報管理部７４、コンテンツデータ配信部７５、ＥＰＧ情報作成部７６、サーバ放送用ＥＰＧ情報作成部７７の各機能が実現する情報処理は、放送局サーバ７０全体を制御する制御部７１がハードウェア資源と協働して実行することにより実現される。具体的には、制御部７１は、不図示のハードウェア資源であるＣＰＵなどから構成され、ＣＰＵが不図示のＲＯＭに格納されている各種プログラムを不図示のＲＡＭに読み出して協働して実行することにより実現している。また、上述したコンテンツＤＢ７８、放送スケジュールＤＢ７９、懸賞商品情報ＤＢ８０は不図示の記憶部に記憶されており、記憶部は、たとえばＨＤＤやフラッシュメモリなどから構成される。なお、第１実施例の放送送信装置３０と同一の機能（コンテンツストリーム作成部７２）については、説明を省略する。
【０１０４】
配信要求受付部７３は、放送受信装置３０Ａからの懸賞情報の配信要求を受け付ける機能を有する。具体的には、放送受信装置３０Ａから要求のあったコンテンツやＥＰＧ情報、サーバ放送用ＥＰＧ情報を提供する。
【０１０５】
ユーザ情報管理部７４は、放送局サーバ７０に接続してきたユーザが登録されていない場合に所定の入力事項を求めて、情報配信システム１Ａのユーザとして新たに登録することができる機能を有している。具体的には、ユーザ情報管理部７４は、接続してきた放送受信装置３０Ａのディスプレイ、または放送受信装置３０Ａに接続されている表示装置５０にユーザ登録画面を表示し、所定の事項を入力させて、入力された事項を不図示の記憶部に記憶する処理を行う。
【０１０６】
また、ユーザ情報管理部７４は、放送局サーバ７０に接続してきたユーザが、情報配信システム１Ａを正当に利用できるユーザであるか否かを判定する機能を有している。具体的には、ユーザ情報管理部７４は、接続してきた放送受信装置３０Ａのディスプレイ、または放送受信装置３０Ａに接続されている表示装置５０にユーザ認証画面を表示させ、当該認証画面に入力された事項（たとえばユーザが入力したユーザＩＤおよびパスワードなど）と、不図示の記憶部に予め記憶されている事項（当該ユーザＩＤと当該ユーザが予め設定したパスワードなど）とを照合することでユーザ認証処理を行う。なお、ユーザ情報管理部７４は、ユーザ認証サーバとしてのＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）サーバを、放送局サーバ７０とは別に構築して、当該ＬＤＡＰサーバにおいて上述したユーザ情報管理部７４の各処理を実現するようにしてもよい。また、ユーザ情報管理部７４は、ユーザの情報を管理する。具体的にはユーザＩＤとユーザの視聴エリアが登録されており、要求のあったユーザに視聴エリアに応じた適切な放送地域のＥＰＧ情報を提供することができる。
【０１０７】
コンテンツデータ配信部７５は、放送送信装置１１が放送波で送出する放送データとは異なり、当該放送データに関連するコンテンツ、またはそれ以外のコンテンツをＩＰ通信網１００経由で配信する機能を有する。
【０１０８】
ＥＰＧ情報作成部７６は、放送スケジュールＤＢ７９と懸賞商品情報ＤＢ８０に基づき、ＥＰＧ情報を作成する。放送スケジュールＤＢ７９には、放送波（テレビ放送、ラジオ放送等）の番組情報が記憶され、ＥＰＧ情報の作成に用いられる。また、放送スケジュールＤＢ７９には、基本的には第１実施形態に係る放送送信装置１１の放送スケジュールＤＢ１８と同等のデータが含まれているが、より詳細な情報が記憶されているものである。また、懸賞商品情報ＤＢ８０には、予め懸賞情報が記憶されている。懸賞情報は、図２０、図２３、図２４に示すデータに示されるように懸賞のある番組の放送種別や放送局、番組名、開始/終了時刻、リアルタイムに応募する番組なのか、応募締切情報、申込情報等が記録されている。これらはＥＰＧ情報の作成に用いられ、ＥＰＧ情報に懸賞情報を含んで放送受信装置３０Ａからの要求に応じて送信される。
【０１０９】
サーバ放送用ＥＰＧ情報作成部７７は、後述するコンテンツＤＢ７８のコンテンツが放送番組と関係するコンテンツである場合に、放送番組と関係するコンテンツのＥＰＧデータを作成するものである。このコンテンツに関連した懸賞情報がある場合には、その懸賞情報も含めてサーバ放送用ＥＰＧデータを作成する。
【０１１０】
コンテンツＤＢ７８には、種々のコンテンツが記憶されている。コンテンツＤＢ７８に記憶されているコンテンツは、番組連動型のものや放送終了後にもアクセスできるコンテンツ、また、エリア限定のものではないコンテンツなどが記憶されている。具体的なコンテンツの例としては、静止画、動画、音声等である。なお、これらの情報は、例えばＸＭＬ(ｅＸｔｅｎｓｉｂｌｅ  Ｍａｒｋｕｐ  Ｌａｎｇｕａｇｅ)やＢＭＬ(Ｂｒｏａｄｃａｓｔ  Ｍａｒｋｕｐ  Ｌａｎｇｕａｇｅ)等のマークアップ言語で記述されており、このようなマークアップ言語を用いることで、ＩＰ通信網１００との親和性を良好なものとすることができる。
【０１１１】
２−２．各装置の処理
２−２−１．放送局サーバの懸賞情報配信処理
続いて、放送局サーバ７０の行う懸賞情報配信処理について説明する。放送局サーバ７０は、ＥＰＧ情報に懸賞情報を付加して放送受信装置３０Ａに対して送信処理を行う。
【０１１２】
図２０は、図１７に示す放送局サーバ７０から送信されるＥＰＧ情報のデータ列の一例を示す図である。図２０に示すように、懸賞情報のデータ列は、「放送種別」、「放送局名」、「放送開始日時」、「放送終了日時」、「番組名」、「表示形式」、「音声形式」「ジャンル」、「出演者」、「監督」、「製作会社」、「番組内容」、「プレゼント」、「リアルタイムか否か」、「応募方法」、「懸賞申し込み開始日時」、「懸賞申し込み終了日時」、「プレゼントジャンル」、「プレゼント商品名」などのフィールドから構成されている。なお、図２０に示すＥＰＧ情報のうち、「プレゼント」、「リアルタイムか否か」、「応募方法」、「懸賞申し込み開始日時」、「懸賞申し込み終了日時」、「プレゼントジャンル」、「プレゼント商品名」のフィールドが懸賞情報として挿入されている。
【０１１３】
図２１は、図１７に示す放送局サーバ７０のＥＰＧ情報送信処理のフローチャートである。このＥＰＧ情報送信処理は、懸賞情報の有無を含めたＥＰＧ情報を配信するものである。なお、図５の処理と同一の処理（図２１のＳＴＡＲＴ、ステップＳ１０１、Ｓ１０２、Ｓ１０３、Ｓ１０４の処理）については、同一のステップ番号を付し、説明を省略する。
【０１１４】
ステップＳ１０７：制御部７１は、ステップＳ１０４で送信する期間内の全ての番組に関して懸賞情報の有無チェックが完了すると、送信する期間内の全ての番組を含んだＥＰＧ情報を生成する。放送局サーバ７０の制御部７１は、ステップＳ１０７の処理が完了すると、ステップＳ１０８の処理へ移行する。
【０１１５】
ステップＳ１０８：制御部７１は、ＥＰＧ情報の送信要求判定を行う。放送局サーバ７０の制御部７１は、ＥＰＧ情報の送信要求がある場合（ステップＳ１０８でＹＥＳ）にはステップＳ１０９へ、ない場合（ステップＳ１０８でＮＯ）には、ステップＳ１０８の判定処理を繰り返す。
【０１１６】
ステップＳ１０９：制御部７１は、ＥＰＧ情報を送信してＥＰＧ情報送信処理を終了する（ＥＮＤ）。
【０１１７】
このような送信処理とすることで、懸賞情報の有無がＥＰＧ情報に含まれて配信されるため、視聴者が放送番組内で告知される情報を容易に知ることができる。また、放送受信装置３０Ａからの送信要求に基づいて、ＩＰ通信網１００を利用して懸賞情報の有無を有するＥＰＧ情報を放送局サーバ７０から配信させるため、第１実施形態における放送送信装置１１の放送波による配信処理とは異なり、視聴者の配信要求に基づいて懸賞情報の有無を有するＥＰＧ情報を配信することが可能となる。つまり、ユーザの要求を反映することができる。
【０１１８】
２−２−２．放送受信装置の懸賞情報表示処理
図２２は、図１７に示す放送受信装置３０Ａの懸賞情報表示処理のフローチャートである。
【０１１９】
ＳＴＡＲＴ：制御部３２は、電源がＯＮになる、または当該表示モードが選択されると懸賞情報表示処理を開始する。制御部３２は、懸賞情報表示処理を開始すると、ステップＳ２０１の処理へ移行する。
【０１２０】
ステップＳ２０１：制御部３２は、ＥＰＧ画面の表示要求有無を判定する。制御部３２は、ＥＰＧ画面の表示要求がある場合（ステップＳ２０１でＹＥＳ）には、ステップＳ２０５の処理へ移行し、ＥＰＧ画面の表示要求がない場合（ステップＳ２０１でＮＯ）には、ステップＳ２０１の判定処理を繰り返す。
【０１２１】
ステップＳ２０５：制御部３２は、ＥＰＧ情報が未取得か否かを判定する。制御部３２は、未取得の場合（ステップＳ２０５でＹＥＳ）には、ステップＳ２０６の処理へ移行し、取得済みの場合（ステップＳ２０５でＮＯ）には、ステップＳ２０７の処理へ移行する。なお、常時ネットワーク接続をしている環境において、特定のタイミングで（たとえば５分に1回など）で最新のＥＰＧを取得することができる場合には、このステップを行わなくてもよい。
【０１２２】
ステップＳ２０６：制御部３２は、ＥＰＧ情報を放送局サーバ７０へ要求する。制御部３２は、放送局サーバ７０からステップＳ２０６の要求に応じてＥＰＧ情報が送信されてくると、ステップＳ２０７の処理へ移行する。
【０１２３】
ステップＳ２０７：制御部３２は、ステップＳ２０５で要求して取得したＥＰＧ情報、もしくは取得済みのＥＰＧ情報に基づいてＥＰＧ画面を表示して懸賞情報表示処理を終了する（ＥＮＤ）。
【０１２４】
このような表示処理とすることで、ＥＰＧ表示要求があった場合に、ＥＰＧ情報の取得有無を確認すると共に、ＥＰＧ情報を取得していない場合であっても、放送局サーバ７０にＥＰＧ情報の取得要求を行い、当該要求により取得したＥＰＧ情報を表示することができる。
【０１２５】
以上に説明したことから、本発明の第２実施形態に係る情報配信システム１Ａは、懸賞情報を含めて放送するため、懸賞がある番組を容易に把握することができる。これにより放送局１０側のメリットとして、懸賞を目的とした新たな視聴者を獲得し、視聴機会を増加させることができる。また、ユーザ側のメリットとして、ＥＰＧ情報から簡単に懸賞を行っている番組を把握することができるので、プレゼントを提供している番組を容易に探し出して、視聴することができる。また、そのような番組でどのようなプレゼントがなされるのかを簡単に把握することができる。また、リアルタイムの懸賞番組かどうかを把握することにより、その場で視聴するのか録画してから視聴するのかを選択することができる。また、放送局１０からＥＰＧ情報が送信されない場合や、ＥＰＧ情報に懸賞情報を含んで送信されない場合においても、放送局サーバ７０から送信された懸賞情報を含んだＥＰＧ情報を取得することにより、懸賞がある番組を容易に把握することができる。
【０１２６】
２−３．実施例２の変形例
続いて、上述した実施例２の変形例である放送配信システム１Ｂについて説明する。以下に説明する放送局サーバ７０の変形例である放送局サーバ７０Ｂでは、実施例２の放送局サーバ７０と異なり、ＥＰＧ情報に懸賞情報を含めて送信するものではなく、ＥＰＧ情報とは別に懸賞情報を生成して、送信するものである。また、以下に説明する放送受信装置３０Ａの変形例としての放送受信装置３０Ｂでは、実施例２の放送受信装置３０Ａと異なり、ＥＰＧ情報に懸賞情報が含まれた状態で受信するものではなく、ＥＰＧ情報と懸賞情報が別々に作成された状態で受信するものである。
【０１２７】
２−３−１．放送局サーバの構成
放送局サーバ７０Ｂは、実施例２の放送局サーバ７０と異なり、ＥＰＧ情報に懸賞情報を含めて送信するものではなく、ＥＰＧ情報とは別に懸賞情報を生成して、送出するものである。すなわち、図１９に示す放送局サーバ７０の構成に加えて懸賞情報作成部（不図示）を有している。この懸賞情報作成部は、放送スケジュールＤＢ７９を参照して懸賞情報を生成する。そして、生成した懸賞情報は、ＩＰ通信網１００経由で送信される。なお、懸賞情報作成部以外は、図１９に示す放送局サーバ７０と同一であるため、図示および説明を省略する。
【０１２８】
２−３−２．放送受信装置の構成
放送受信装置３０Ｂは、実施例２の放送受信装置３０Ａと異なり、ＥＰＧ情報に懸賞情報を含めて送信するものではなく、ＥＰＧ情報とは別に生成された懸賞情報をＩＰ通信網１００経由で受信するものである。しかしながら、この変形例における放送受信装置３０Ｂは、図１８に示す放送受信装置３０Ａと同一の構成であるため、図示および説明を省略する。なお、放送受信装置３０Ｂと接続された表示装置５０に表示される画面例は、図１２〜図１４において説明したものと同一であるため、画面表示例の説明は省略する。
【０１２９】
２−３−３．放送局サーバの配信処理
続いて、放送局サーバ７０Ｂの配信処理について説明する。放送局サーバ７０Ｂは、懸賞情報と共に放送番組に連動するコンテンツを付加することができる。図２３は、本発明の第２実施形態の変形例である放送局サーバ７０Ｂから配信されるデータ列の一例を示す図である。図２３に示すデータ列は、放送波で送出されるコンテンツに関する情報（放送種別〜番組名までの各フィールド）と、当該コンテンツに連動するコンテンツ（連動コンテンツ１、連動コンテンツ２の各フィールド）と、当該コンテンツに関する懸賞情報（リアルタイムか否か〜プレゼント商品名までの各フィールド）、のデータ列から構成されている。このようなデータ列として送信することで放送番組の懸賞情報と連動したコンテンツの配信が可能となる。
【０１３０】
また、図２４は、本発明の第２実施形態である放送局サーバ７０Ｂから配信されるデータ列の一例を示す図である。図２４に示すデータ列は、放送波で送出されるコンテンツに関する（放送種別〜番組名までの各フィールド）と、当該コンテンツに連動するコンテンツ（連動コンテンツ１、連動コンテンツ２の各フィールド）と、当該連動コンテンツに関する懸賞情報（リアルタイムか否か〜プレゼント商品名までの各フィールド）のデータ列から構成されている。これにより番組と連動したコンテンツを配信可能とすると共に、当該連動コンテンツの懸賞情報の配信が可能となる。
【０１３１】
図２５は、図２１に示すＥＰＧ情報送信処理の変形例を示す図である。この変形例では、懸賞情報のみを作成して送信するものである。
【０１３２】
ＳＴＡＲＴ：制御部７１は、電源がＯＮになる、または当該送信モードが選択されると懸賞情報送信処理を開始する。制御部７１は、懸賞情報送信処理を開始すると、ステップＳ１２１の処理へ移行する。
【０１３３】
ステップＳ１２１：制御部７１は、懸賞情報がある番組か否かを判定する。制御部７１は、懸賞情報がある番組の場合（ステップＳ１２１でＹＥＳ）には、ステップＳ１２２の処理へ移行し、懸賞情報がない番組の場合（ステップＳ１２１でＮＯ）には、ステップＳ１２３の処理へ移行する。
【０１３４】
ステップＳ１２２：制御部７１は、懸賞情報を生成する。制御部７１は、ステップＳ１２２の処理が完了すると、ステップＳ１２３の処理へ移行する。
【０１３５】
ステップＳ１２３：制御部７１は、送信する期間内の全ての番組について懸賞の有無をチェックする。制御部７１は、送信する期間内の全ての番組について懸賞の有無をチェックした場合（ステップＳ１２３でＹＥＳ）は、ステップＳ１２４の処理へ移行し、チェックしていない場合（ステップＳ１２３でＮＯ）は、ステップＳ１２１の処理へ戻る。
【０１３６】
ステップＳ１２４：制御部７１は、送信する期間内に含まれるすべての懸賞情報を作成する。制御部７１は、ステップＳ１２４の処理が完了すると、ステップＳ１２５の処理へ移行する。
【０１３７】
ステップＳ１２５：制御部７１は、懸賞情報の送信要求の有無判定を行う。制御部７１は、懸賞情報の送信要求がある場合（ステップＳ１２５でＹＥＳ）には、ステップＳ１２６の処理へ移行し、懸賞情報の送信要求がない場合（ステップＳ１２５でＮＯ）には、懸賞情報送信処理を終了する（ＥＮＤ）。
【０１３８】
ステップＳ１２６：制御部７１は、送信する期間内に含まれるすべての懸賞情報を送信して、懸賞情報送信処理を終了する（ＥＮＤ）。
【０１３９】
このような送信処理とすることで、懸賞情報のみをＥＰＧ情報とは独立して送信することができる。
【０１４０】
２−３−４．放送受信装置の懸賞情報表示処理
続いて、放送受信装置３０Ｂの懸賞情報表示処理の変形例について説明する。図２６は、図２２に示す懸賞情報表示処理の変形例を示す図である。この変形例は、懸賞情報のみを送信する放送局サーバ７０と通信を行った場合の懸賞情報表示処理である。
【０１４１】
ＳＴＡＲＴ：制御部３２は、電源がＯＮになる、または当該表示モードが選択されると懸賞情報表示処理を開始する。制御部３２は、懸賞情報表示処理を開始すると、ステップＳ２２１の処理へ移行する。
【０１４２】
ステップＳ２２１：制御部３２は、ＥＰＧ画面の表示要求有無を判定する。制御部３２は、ＥＰＧ画面表示要求がある場合（ステップＳ２２１でＹＥＳ）には、ステップＳ２２２の処理へ移行し、ＥＰＧ画面表示要求がない場合（ステップＳ２２１でＮＯ）には、ステップＳ２２１の判定処理を繰り返す。
【０１４３】
ステップＳ２２２：制御部３２は、懸賞情報の表示要求有無を判定する。制御部３２は、懸賞情報の表示要求がない場合（ステップＳ２２２でＮＯ）には、ステップＳ２２３の処理へ移行し、懸賞情報の表示要求がある場合（ステップＳ２２２でＹＥＳ）には、ステップＳ２２４の処理へ移行する。
【０１４４】
ステップＳ２２３：制御部３２は、ＥＰＧ画面を表示して懸賞情報表示処理を終了する（ＥＮＤ）。なお、このステップＳ２２３においてＥＰＧ画面を表示する際に、ステップＳ２２２の懸賞情報の表示要求判定を行うようにしても良い。
【０１４５】
ステップＳ２２４：制御部３２は、最新の懸賞情報について未取得か否かを判定する。制御部３２は、最新の懸賞情報が未取得である場合（ステップＳ２２４でＹＥＳ）には、ステップＳ２２５の処理へ移行し、取得済みである場合（ステップＳ２２４でＮＯ）にはステップＳ２２６の処理へ移行する。
【０１４６】
ステップＳ２２５：制御部３２は、放送局サーバ７０へ懸賞情報を要求する。制御部３２は、ステップＳ２２５の処理が完了すると、図２７のステップＳ４０１の処理へ移行する。
【０１４７】
図２７は、図２２に示す懸賞情報表示処理の変形例を示す図である。この懸賞情報表示処理は、図２６で示した懸賞情報表示処理のステップＳ２２５以降の表示処理である。
【０１４８】
ＳＴＡＲＴ：制御部３２は、ＥＰＧ情報を放送局サーバ７０に要求して取得すると、ステップＳ４０１の処理へ移行する。
【０１４９】
ステップＳ４０１：制御部３２は、表示要求されている「ＥＰＧ情報の番組」に懸賞情報があるか否かを判定する。制御部３２は、表示要求されている「ＥＰＧ情報の番組」に懸賞情報がある場合（ステップＳ４０１でＹＥＳ）には、ステップＳ４０２の処理へ移行し、懸賞情報がない場合（ステップＳ４０１でＮＯ）には、ステップＳ４０３の処理へ移行する。
【０１５０】
ステップＳ４０２：制御部３２は、懸賞のある番組のＥＰＧ情報部分にマークを合成して表示（重畳表示）させる。制御部３２は、ステップＳ４０２の処理が完了すると、ステップＳ４０４の処理へ移行する。なお、懸賞のある旨を示すマークは、アイコンやテキストでもよい。
【０１５１】
ステップＳ４０３：制御部３２は、ＥＰＧ情報を画面に表示する。制御部３２は、ステップＳ４０３の処理が完了すると、ステップＳ４０４の処理へ移行する。
【０１５２】
ステップＳ４０４：制御部３２は、ＥＰＧ情報に基づいて表示されている番組の中から特定の番組についての表示要求有無を判定する。制御部３２は、特定の番組についての表示要求がある場合（ステップＳ４０４でＹＥＳ）には、ステップＳ４０５の処理へ移行し、表示要求がない場合（ステップＳ４０４でＮＯ）には懸賞情報表示処理を終了する（ＥＮＤ）。
【０１５３】
ステップＳ４０５：制御部３２は、特定の番組に懸賞情報があるか否かを判定する。特定の番組に懸賞情報がある場合（ステップＳ４０５でＹＥＳ）には、ステップＳ４０６の処理へ移行し、懸賞情報がない場合（ステップＳ４０５でＮＯ）には、ステップＳ４０７の処理へ移行する。
【０１５４】
ステップＳ４０６：制御部３２は、図２８に示すような番組情報と懸賞情報を表示して懸賞情報表示処理を終了する（ＥＮＤ）。
【０１５５】
ステップＳ４０７：制御部３２は、図２９に示すような番組情報を表示して懸賞情報表示処理を終了する（ＥＮＤ）。
【０１５６】
なお、ステップＳ４０５で、懸賞情報がある場合に、図３０のようなプレゼントのアイコンを表示させ、このアイコンが選択された場合に、図３１のような懸賞情報の詳細を表示するようにしてもよい。
【０１５７】
このような表示処理とすることで、ＥＰＧ画面上に表示される番組の懸賞情報の有無や、詳細な懸賞情報を容易に知ることができる。また、これらの情報が放送番組の視聴するための動機付けとなり、当該放送番組の視聴率アップに寄与することができる。
【０１５８】
３．他の実施形態
以上、情報配信システム１，１Ａを本発明の実施形態例として説明したが、本発明は、これに限定されるものではなく、発明の要旨を逸脱しない範囲において種々の変形や変更が可能である。
【０１５９】
たとえば、リアルタイムに応募しなければならない番組が録画予約された場合には、視聴予約に切り替えるか尋ねるポップアップ画面を表示するようにしてもよい。
【０１６０】
また、放送受信装置３０，３０Ａ，３０Ｂは、放送局サーバ７０からのＥＰＧ情報内にプレゼントがある番組がある場合には、放送波からのＥＰＧ情報にＯＳＤ（Ｏｎ  Ｓｃｒｅｅｎ  Ｄｉｓｐｌａｙ）表示を行うようにしてもよい。
【０１６１】
また、現在から１日で放送される懸賞つきの番組を懸賞名と共に表示するようにしてもよい。その場合の懸賞内容は、放送局サーバ７０側で隠していてもよいし、わかるようにしてもよい。
【０１６２】
また、音声で懸賞情報の有無を通知するようにしてもよい。あるいは、放送波の番組放送中に懸賞情報の有無を通知するようにしてもよい。具体的には、画面内にテロップとして懸賞情報を流してもよい。
【０１６３】
また、放送受信装置３０，３０Ａ，３０Ｂは、ＩＰ通信網１００を通じ、放送局サーバ７０と双方向通信で懸賞の応募、抽選結果の通知等を行うようにしてもよい。
【０１６４】
また、放送局サーバ７０でＥＰＧ情報自体をコンテンツデータとして、送信せずにｗｅｂ上で閲覧できるようにしてもよい。
【０１６５】
また、上述した各実施形態に係る情報配信システム１Ａで説明した各部の機能すべてまたは一部をプログラムによって構成し、このプログラムを情報処理装置（コンピュータ）にインストールすることで実現してもよい。具体的には、コンピュータとして機能させるためにプログラムとすることができる。なお、このプログラムを実行可能な状態で記録した媒体からコンピュータに直接インストールすることも可能であるが、ネットワーク経由で遠隔にあるコンピュータにインストールしてもよい。
【符号の説明】
【０１６６】
１，１Ａ  情報配信システム、１０  放送局、１１  放送送信装置（放送配信装置）、１２  制御部、１３  コンテンツストリーム作成部、１４  ＥＰＧ情報作成部、１５  データ放送作成部、１６  ＭＵＸ部、１７  放送用コンテンツ１７ＤＢ、１７  放送用コンテンツ１８  放送スケジュールＤＢ、１９  データ放送用コンテンツＤＢ、３０，３０Ａ，３０Ｂ  放送受信装置（情報受信装置）、３１  操作入力部（電子番組情報取得要求部、告知情報取得要求部）、３２  制御部（電子番組情報取得部の一部、告知情報取得部の一部、告知情報出力部の一部）、３３  チューナー（電子番組情報取得部の一部、告知情報取得部の一部）、３４  ＤＥＭＵＸ部（電子番組情報取得部の一部、告知情報取得部の一部）、３５  デコード部（告知情報出力部の一部）、３６  映像音声出力部（告知情報出力部の一部）、３７  記録部、３８  ネットワーク接続部（電子番組情報取得部の一部、告知情報取得部の一部）、３９  ネットワーク情報デコード部（告知情報出力部の一部）、４０  ユーザ情報記憶部、５０  表示装置、６０  音声再生装置、７０  放送局サーバ（放送配信装置）、７１  制御部、７２  コンテンツストリーム作成部、７３  配信要求受付部、７４  ユーザ情報管理部、７５  コンテンツデータ配信部、７６  ＥＰＧ情報作成部、７７  サーバ放送用ＥＰＧ情報作成部、７８  コンテンツＤＢ、７９  放送スケジュールＤＢ、８０  懸賞商品情報ＤＢ、８１  ネットワーク接続部、１００  ＩＰ通信網 
【図１】
2010206287.tif 000003
【図２】
2010206287.tif 000004
【図３】
2010206287.tif 000005
【図４】
2010206287.tif 000006
【図５】
2010206287.tif 000007
【図６】
2010206287.tif 000008
【図７】
2010206287.tif 000009
【図８】
2010206287.tif 000010
【図９】
2010206287.tif 000011
【図１０】
2010206287.tif 000012
【図１１】
2010206287.tif 000013
【図１２】
2010206287.tif 000014
【図１３】
2010206287.tif 000015
【図１４】
2010206287.tif 000016
【図１５】
2010206287.tif 000017
【図１６】
2010206287.tif 000018
【図１７】
2010206287.tif 000019
【図１８】
2010206287.tif 000020
【図１９】
2010206287.tif 000021
【図２０】
2010206287.tif 000022
【図２１】
2010206287.tif 000023
【図２２】
2010206287.tif 000024
【図２３】
2010206287.tif 000025
【図２４】
2010206287.tif 000026
【図２５】
2010206287.tif 000027
【図２６】
2010206287.tif 000028
【図２７】
2010206287.tif 000029
【図２８】
2010206287.tif 000030
【図２９】
2010206287.tif 000031
【図３０】
2010206287.tif 000032
【図３１】
2010206287.tif 000033